(57)【特許請求の範囲】
【請求項１】
圧縮機、四方弁、膨張弁、室外熱交換器、及び室内熱交換器を冷媒配管で接続して冷凍サイクルを構成する冷凍サイクル装置であって、
前記冷凍サイクルに用いる冷媒はＲ３２であり、
前記膨張弁は、比較的開度が低い低開度領域では当該膨張弁の開度変化に対する冷媒の流量の割合を比較的小さくし、開度が前記低開度領域より高い高開度領域では前記膨張弁の開度変化に対する冷媒の流量の割合を前記低開度領域より大きくする形状であり、
前記圧縮機に吸入される冷媒の吸入乾き度を算出する吸入乾き度算出部と、
前記膨張弁の開度を、前記吸入乾き度が目標吸入乾き度に収束するようにフィードバック制御する制御部とを備え
前記制御部は、前記吸入乾き度算出部で算出した吸入乾き度が予め設定された吸入乾き度を下回ったときは前記膨張弁の上限開度を前記低開度領域の上限開度とし、そうでないときは前記膨張弁の上限開度を前記高開度領域の上限開度とすることを特徴とする冷凍サイクル装置。
【発明の詳細な説明】
【技術分野】
【０００１】
本発明は、冷凍サイクル装置に関する。
【背景技術】
【０００２】
本技術分野の背景技術として、特開２０１２−１８９２３８号公報（特許文献１）がある。この公報には、冷媒Ｒ３２は冷媒Ｒ４１０Ａと比べて熱物性が異なるので、この熱物性に応じた冷凍サイクル装置の制御を行うことが必要であるとしている。そして、特許文献１では、冷媒Ｒ４１０Ａから冷媒Ｒ３２に変えると、その熱物性の差により圧縮機の吐出温度が上昇し、冷凍サイクルの圧縮機の冷凍機油が劣化するという現象が発生するので、インジェクション用の膨張弁から冷媒熱交換器を通り、圧縮機の圧縮室に接続されたバイパス回路を設けて圧縮機の吐出温度の上昇を抑制することを提案している。
【先行技術文献】
【特許文献】
【０００３】
【特許文献１】特開２０１２−１８９２３８号公報
【発明の概要】
【発明が解決しようとする課題】
【０００４】
特許文献１では熱物性の観点から冷媒Ｒ３２の特性に対応した装置構成を提案している。しかし、本発明者等の知見によると、冷媒Ｒ３２と冷媒Ｒ４１０Ａの流量特性の相違によって次のような事実が明らかになった。すなわち、冷媒の流量特性の相違によって、室外機の膨張弁（以下、室外膨張弁という）を通過する冷媒Ｒ３２の量が冷媒Ｒ４１０Ａに比べて特異性を有している。これによって、冷媒Ｒ４１０Ａを用いる機種と同じ室外膨張弁を使用すると冷媒の温度が大きく変動することが判明した。
【０００５】
これにより、特に、室外膨張弁を通過する冷媒Ｒ３２の循環量が少なくなる外気温度が低いときの暖房運転において、冷媒Ｒ４１０Ａに使用している室外膨張弁を使用すると、室外膨張弁の開度変化に対する冷媒の流量変化の割合が大きく変化し、室外膨張弁から吐出される冷媒Ｒ３２の温度が異常上昇することで、冷凍機油の劣化によって圧縮機が故障するといった事態を引き起こす恐れがある。
そこで、本発明は、冷媒Ｒ４１０Ａに使用しても圧縮機の故障等の不具合が生じない冷凍サイクル装置を提供することを課題とする。
【課題を解決するための手段】
【０００６】
上記課題を解決するため、本発明の一形態は、圧縮機、四方弁、膨張弁、室外熱交換器、及び室内熱交換器を冷媒配管で接続して冷凍サイクルを構成する冷凍サイクル装置であって、前記冷凍サイクルに用いる冷媒はＲ３２であり、前記膨張弁は、比較的開度が低い低開度領域では当該膨張弁の開度変化に対する冷媒の流量の割合を比較的小さくし、開度が前記低開度領域より高い高開度領域では前記膨張弁の開度変化に対する冷媒の流量の割合を前記低開度領域より大きくする形状であり、前記圧縮機に吸入される冷媒の吸入乾き度を算出する吸入乾き度算出部と、前記膨張弁の開度を、前記吸入乾き度が目標吸入乾き度に収束するようにフィードバック制御する制御部とを備え、前記制御部は、前記吸入乾き度算出部で算出した吸入乾き度が予め設定された吸入乾き度を下回ったときは前記膨張弁の上限開度を前記低開度領域の上限開度とし、そうでないときは前記膨張弁の上限開度を前記高開度領域の上限開度とすることを特徴とする冷凍サイクル装置である。
【発明の効果】
【０００７】
本発明によれば、冷媒Ｒ４１０Ａに使用しても圧縮機の故障等の不具合が生じない冷凍サイクル装置を提供することができる。
上記した以外の課題、構成及び効果は、以下の実施形態の説明により明らかにされる。
【図面の簡単な説明】
【０００８】
【図１】図１は、本発明の実施例１である冷凍サイクル装置の系統図である。
【図２】図２は、室外膨張弁による冷媒Ｒ４１０Ａと冷媒Ｒ３２の流量−吐出温度特性について示すグラフである。
【図３】図３は、本発明の実施例１である冷凍サイクル装置の室外膨張弁の膨張弁開度−膨張弁流量特性について説明するグラフである。
【図４】図４は、本発明の実施例１である冷凍サイクル装置の室外膨張弁の縦断面図である。
【図５】図５は、本発明の実施例２である冷凍サイクル装置の系統図である。
【発明を実施するための形態】
【０００９】
以下、本発明の実施例について図面を用いて説明する。
【実施例１】
【００１０】
図１は、本発明の実施例１である冷凍サイクル装置の系統図である。本実施例の冷凍サイクル装置１は、室外機２と室内機３とを備えている。冷凍サイクル装置１は、圧縮機１１、四方弁１２、室外膨張弁１３、室外熱交換器１４、及び室内熱交換器２１、室内膨張弁２２（室内機３の膨張弁）などを冷媒配管３１で接続して冷凍サイクルを構成している。本実施例では、冷媒として冷媒Ｒ３２を使用している。
【００１１】
図１において、圧縮機１１は冷媒配管３１を介して四方弁１２に接続されている。四方弁１２は圧縮機１１との接続をガス阻止弁３２側又は室外熱交換器１４側に切り替える機能を備えている。室外熱交換器１４には室外ファン１５が設けられており、冷媒と外部の空気との間で熱交換して、冷房運転では冷媒Ｒ３２の熱を外部空気に排出し、暖房運転では外部空気の熱を冷媒Ｒ３２に汲み上げる機能を備えている。
また、室外熱交換器１４には冷媒配管３１を介して室外膨張弁１３が接続されており、室外膨張弁１３は、さらに液阻止弁３３と接続されている。ガス阻止弁３２と液阻止弁３３は冷媒配管３１によって室内機３側と接続されている。
【００１２】
室外膨張弁１３はパルスモータ１６によって往復動される膨張弁本体４１（図４）を備えており、膨張弁本体４１は冷媒Ｒ３２の量を連続的に調整することができる。すなわち、パルスモータ１６のパルス数と膨張弁本体４１の移動量（往復移動量）とは予め関係付けて決められており、例えば１パルスで０．１ｍｍだけ膨張弁本体４１が移動するようにしていれば、１ｍｍ移動させる場合は１０パルスを与えれば良いことになる。もちろん、このパルス数と膨張弁本体４１の移動量は任意に設定することが可能である。更に、膨張弁本体４１の往復移動量と冷媒Ｒ３２の流量の関係は膨張弁本体４１の軸方向断面形状によって定めることができ、この点は後述する。つまり、本実施例では、冷媒Ｒ３２の流量特性によってこの断面形状が決められている。この流量特性と膨張弁本体４１の弁開度及び断面形状の関係については図２、図３を用いて後ほど説明する。
【００１３】
吐出温度検出部である温度センサ１７は、圧縮機１１の上部に設けられて冷媒の吐出温度を間接的に検出する。
外気温度検出部である温度センサ１８は、室外熱交換器１４に取り付けられて外気温度を検出する。
制御部となる制御装置１９は、温度センサ１７，１８などの検出値に基づいて、パルスモータ１６を制御する。
【００１４】
本実施例において、暖房運転時には、圧縮機１１から吐出された高温高圧のガス冷媒は、図１に実線矢印で示すように、四方弁１２、ガス阻止弁３２、冷媒配管３１を通り、室内機３に至って室内熱交換器２１で凝縮されて液冷媒となる。この液冷媒は、通常では全開状態の室内膨張弁２２を通過後、冷媒配管３１及び液阻止弁３３を通って室外膨張弁１３に至り、この室外膨張弁１３により減圧されて低温低圧のガス液混合冷媒となる。この減圧された冷媒は、室外熱交換器１４、室外ファン１５の作用によって蒸発され、ガス冷媒となり再び四方弁１２を経由して圧縮機１１に戻される。なお、冷房運転中の冷媒の流れは破線で示している（公知のため、詳細な説明は省略する）。
【００１５】
暖房運転中は、圧縮機１１の運転可能範囲を逸脱しないように、圧縮機１１の上部に設けた温度センサ１７により冷媒の吐出温度を間接的に検出し、圧縮機１１からの冷媒の吐出温度が所定の目標温度に収束するように室外膨張弁１３の開度をフィードバック制御している。すなわち、室外膨張弁１３の開度を制御することにより冷媒の吐出温度を調整できるので、結果的に、圧縮機１１の冷媒の吐出温度を制御することができるようになる。かかる制御は、制御装置１９が行う。
【００１６】
ところで、本発明者等の知見によると、冷媒Ｒ３２と冷媒Ｒ４１０Ａの流量特性の相違によって次のような事実が明らかになった。すなわち、冷媒の流量特性の相違によって、室外膨張弁を通過する冷媒Ｒ３２の量が、冷媒Ｒ４１０Ａに比べて特異的な特性を有しており、これによって、室外膨張弁として冷媒Ｒ４１０Ａを用いた機種と同じ室外膨張弁を使用すると冷媒の温度が大きく変動することが判明した。
冷媒Ｒ３２は冷媒Ｒ４１０Ａに比べて流れ易い特性を有しており、これによって冷媒Ｒ３２の温度を制御する室外膨張弁の開度変化に対する冷媒の流量変化の割合が大きくなり、冷媒Ｒ４１０Ａと比べると、この流量変化に依存して冷媒Ｒ３２の温度変化が大きくなる傾向となる。
【００１７】
特に、室外膨張弁を通過する冷媒Ｒ３２の循環量が少なくなる外気温度が低いときの暖房運転において、冷媒Ｒ４１０Ａに使用している機種の室外膨張弁を使用すると、室外膨張弁の開度変化に対する冷媒Ｒ３２の流量変化の割合が大きく変化し、室外膨張弁から吐出される冷媒Ｒ３２の温度が異常上昇することで、冷凍機油の劣化によって圧縮機が故障するといった事態を引き起こす恐れがある。
また、一般的に暖房運転では、室外膨張弁の開度は圧縮機の温度が所定の温度になるように前記の例のようにフィードバック制御されているが、前記したように室外膨張弁の開度変化に対して冷媒Ｒ３２の流量変化の割合が大きいため、これに伴って冷媒Ｒ３２の温度が大きく変動するようになる。
【００１８】
したがって、圧縮機の冷媒の吐出温度を所定の温度に収束するようにフィードバック制御していても、室外膨張弁の開度が小さいときは開度制御している状態で冷媒の流量変化（＝温度変化）が大きいため、圧縮機の冷媒の吐出温度もこれに対応して大きく変動して目標温度に収束させることが困難である。このため、暖房運転を行っている場合は室内機の吹出温度が上下してユーザの快適性を損なうことにもなる。
【００１９】
以下では、冷凍サイクル装置１において、これらの不具合を解消するための手段について説明する。
図２は、室外膨張弁による冷媒Ｒ４１０Ａと冷媒Ｒ３２の流量−吐出温度特性について示すグラフである。この図２は、同じ流量特性の室外膨張弁を用いて冷媒Ｒ４１０Ａと冷媒Ｒ３２を使用した場合の室外膨張弁を流れる冷媒の流量（膨張弁流量）と圧縮機からの冷媒の吐出温度（吐出温度）との関係を示す特性図であり、圧縮機の回転数は冷媒Ｒ４１０Ａ、冷媒Ｒ３２とも同じ回転数としている。
【００２０】
図２からは、膨張弁流量が少ない室外膨張弁の低開度の領域では、冷媒Ｒ３２の膨張弁流量の流量変化に対し吐出温度の温度変化の割合が大きく、その傾きが大きいことが分かる。一方、冷媒Ｒ４１０Ａを使用した場合は膨張弁流量の流量変化に対し吐出温度の温度変化の割合が小さく、その傾きが小さいことが分かる。したがって、ある吐出温度Ｔ１から、これより高い吐出温度Ｔ２まで冷媒を温度上昇させるためには、冷媒Ｒ３２は少ない量の冷媒を調量するのに対し、冷媒Ｒ４１０Ａは多くの量の冷媒を調量することになる。
【００２１】
膨張弁流量の流量変化は膨張弁の開度により変化するが、本実施例ではパルスモータ１６を使用していることから、前記のフィードバック制御に際して、パルスモータ１６の１パルス毎の冷媒Ｒ３２の温度変化は冷媒Ｒ４１０Ａに比較して大きいことが分かる。つまり、低開度の領域での膨張弁流量、あるいは膨張弁の開度の変化による冷媒の吐出温度の変化が大きいことがわかる。
例えば、図２に示すように、冷媒Ｒ４１０Ａの膨張弁流量をＧ１、冷媒Ｒ３２の膨張弁流量をＧ２として同等の吐出温度（Ｔ１）で比較した場合、冷媒Ｒ４１０Ａに比較して冷媒Ｒ３２の膨張弁流量のほうが少ないことがわかる。これは冷媒Ｒ３２が少ない流量変化で大きな温度変化を生じることを示している。
【００２２】
図３は、実施例１の室外膨張弁１３の膨張弁開度−膨張弁流量特性について説明するグラフである。この図３は、冷媒Ｒ４１０Ａに使用した既存の室外膨張弁（ａ１）と、冷媒Ｒ３２に使用する実施例１の室外膨張弁１３（ａ２）の開度（膨張弁開度）と流量（膨張弁流量）との関係を示した特性図である。図２に示した特性から、冷媒Ｒ４１０Ａで使用している既存の室外膨張弁をそのまま冷媒Ｒ３２で使用すると、冷媒Ｒ４１０Ａで使用している室外膨張弁は吐出温度に対して流量変化が大きいため、低開度領域でも流量の変化が大きく、吐出温度を安定化させるのが困難となる。
【００２３】
そこで、本実施例では、図３に示したような（ａ２）、冷媒Ｒ３２の流量特性に対応した室外膨張弁１３を使用するようにしている。具体的にはこの図３のａ２の特性に合わせて、膨張弁本体４１（図４）の移動量（開度変化）に対する必要とされる冷媒流量に合せて膨張弁本体４１の表面形状を決めればよい。
本実施例においては、冷媒Ｒ３２に対応した室外膨張弁１３は図３に示す低開度領域で、膨張弁の開度変化に対する膨張弁流量の変化の割合を小さくすることで吐出温度の変化を小さくすることが可能となる。
【００２４】
また、高開度領域においては、膨張弁流量及び（冷凍サイクル装置１における）冷媒循環量が多いため、冷媒の吐出温度が低くなりやすいが、当該膨張弁流量及び冷媒循環量が多い場合でも冷媒の吐出温度が上昇する場合があるため膨張弁流量を小さくすることは得策でない。このため、高開度領域では室外膨張弁１３の開度変化に対する冷媒の流量変化の傾きを大きくする形状とするのがよい。
【００２５】
以下では、以上の知見に基づいた室外膨張弁１３の具体的な構成や、その制御等について説明する。
図４は、実施例１の室外膨張弁１３の縦断面図である。室外膨張弁１３の膨張弁本体４１は、弁部４２と、この弁部４２に固定された作動軸４３とにより構成されている。弁部４２は冷媒通路の壁面４４に対向して配置されており、弁部４２と壁面４４の間の開口面積によって冷媒Ｒ３２の流量を制御することができる。
【００２６】
作動軸４３の他端は、パルスモータ１６のロータにねじ作用で係り合うようにされており、すなわち、ロータの内部に形成されたねじ部とねじ作用で係り合うようなねじ部が形成されている（以上、図示せず）。したがって、ロータが回転することによってねじ係合されている作動軸４３が図４において上下に往復動することができる。そして、パルスモータ１６に与えられるパルス数に対応してそのロータが回転し、この回転に応じた動作量だけ作動軸４３が往復動される。
【００２７】
弁部４２の表面には断面形状が異なる少なくとも高開度領域部４２ａと低開度領域部４２ｂの２つの領域が形成されている。低開度領域部４２ｂは図３に示す低開度領域の開度−流量特性を実現するものであり、高開度領域部４２ａは図３に示す高開度領域の開度−流量特性を実現する。図４に示す弁部４２の高開度領域部４２ａと低開度領域部４２ｂの表面の断面形状は、曲線状あるは直線状で形成することができる（図４の例では低開度領域部４２ｂが直線状で、高開度領域部４２ａが曲線状である）。そして、作動軸４３の長手方向に沿った弁部４２の表面の断面形状の変動は、低開度領域部４２ｂに比べて高開度領域部４２ａの方が急峻な変化をするように形成されている。高開度領域部４２ａと低開度領域部４２ｂの表面の断面形状は、図３に示すような特性、あるいは当該特性に近似した特性が得られる形状とすれば、図４の例以外にも様々に実現することができる。
ここで、本実施例では室外膨張弁１３に予め下限開度及び複数の上限開度を設けておき、制御装置１９が、温度センサ１８で検出する外気温度により上限開度を決定して室外膨張弁１３の開度制御を実施する。
【００２８】
例えば、図３に示す下限開度ＥＶＯｍｉｎは、冷凍サイクル装置１の運転停止直後の冷媒Ｒ３２の移動による次回起動時の圧縮機１１への液戻り防止のため、冷媒Ｒ４１０Ａを使用した既存の冷凍サイクル装置の膨張弁流量と同様の冷媒流量になるように設定にする（ａ１とａ２が一致する）。また、図３に示す上限開度ＥＶＯｍａｘ１は、高開度領域においての冷媒の吐出温度の異常上昇防止のために冷媒Ｒ４１０Ａを使用した既存の冷凍サイクル装置と同様の膨張弁流量とする（ａ１とａ２が一致する）。なお、上限開度ＥＶＯｍａｘ１はＲ４１０Ａの膨張弁流量以下としても良い。
【００２９】
そして、温度センサ１８で検出する通常の外気温度では上限開度は高開度領域の上限開度であるＥＶＯｍａｘ１とするが、外気温度が予め設定された温度を下回った場合は、上限開度をＥＶＯｍａｘ１から上限開度ＥＶＯｍａｘ２に変更する制御を制御装置１９で行う。ここで、“上限開度ＥＶＯｍａｘ１＞上限開度ＥＶＯｍａｘ２”であり、上限開度ＥＶＯｍａｘ２は、図３の低開度領域の上限値であり高開度領域の下限値である。
【００３０】
上限開度ＥＶＯｍａｘ１から上限開度ＥＶＯｍａｘ２への変更の制御は、前記したように室外膨張弁１３を通過する冷媒Ｒ３２の循環量が少なくなる外気温度が低いときに行う。すなわち、膨張弁流量の変動が大きい高開度領域で室外膨張弁１３の開度を制御した場合、圧縮機１１からの冷媒の吐出温度の変化が大きくなり、当該吐出温度の異常上昇による冷凍機油の劣化や、室外膨張弁１３の開度変化に基づく大きな空調温度変化によるユーザの快適性不良を防止するために行われる。
【００３１】
上限開度をＥＶＯｍａｘ２に変更する場合は、下限開度ＥＶＯｍｉｎから上限開度ＥＶＯｍａｘ２に至るまでのパルスモータ１６のステップ数を予め記憶しておき、制御装置１９による室外膨張弁１３の開度制御を開始してからの積算ステップ数（室外膨張弁１３を開く場合は加算、閉じる場合は減算する）によって現在の室外膨張弁１３の開度がおおよそ推定できるので、これら積算ステップ数を比較することによって上限開度ＥＶＯｍａｘ２を超えない範囲で開度の調整が可能となる。
また、室外膨張弁１３の作動軸４３の位置を検出する位置センサを設け、この位置センサからの検出信号によって上限開度ＥＶＯｍａｘ２を超えない範囲で制御装置１９が開度制御するようにしてもよい。
【００３２】
以上説明した本実施例の冷凍サイクル装置１によれば、暖房運転を行うような外気温度が低い状態においては、室外膨張弁１３は低開度領域で使用するが、室外膨張弁１３の弁部４２に形成した低開度領域部４２ｂの開度変化（弁部４２の移動量）に対する冷媒の流量変化の割合が小さく設定されている。そのため、冷媒Ｒ３２を使用した場合においても、暖房運転時の冷媒Ｒ３２の温度変化を小さくすることができ、冷媒Ｒ３２の圧縮機１１からの吐出温度の異常上昇による冷凍機油の劣化を抑制することができる。
【００３３】
なお、高開度領域においては、冷媒Ｒ３２の吐出温度が低くなりやすいが、膨張弁流量及び冷媒循環量が多い場合でも冷媒Ｒ３２の吐出温度が上昇する場合があるため膨張弁流量を小さくすることは得策でない。そのため、高開度領域では高開度領域部４２ａの開度変化（弁部４２の移動量）に対する冷媒の流量変化の割合を大きくしている。
【００３４】
また、本実施例では、室外膨張弁１３を通過する冷媒Ｒ３２の循環量が少なくなる外気温度が低いときには、上限開度ＥＶＯｍａｘ１から上限開度ＥＶＯｍａｘ２への変更の制御を行う（図３）。すなわち、膨張弁流量の変動が大きい高開度領域で室外膨張弁１３の開度を制御した場合、圧縮機１１からの冷媒の吐出温度の変化が大きくなり、あるいは、当該吐出温度の異常上昇による冷凍機油の劣化や、室外膨張弁１３の開度変化に基づく大きな空調温度変化によるユーザの快適性不良が生じるのを、防止することができる。
【００３５】
また、室外膨張弁１３の開度は圧縮機１１の冷媒Ｒ３２の吐出温度が所定の温度になるようにフィードバック制御されている。そして、前記したように室外膨張弁１３の開度変化に対して冷媒Ｒ３２の流量変化の割合を小さくできるため、これに伴う冷媒Ｒ３２の温度変動も小さくなる。したがって、圧縮機１１のＲ３２の吐出温度を所定の温度に収束するようにフィードバック制御する場合も目標温度に収束させることが容易となる。このため、暖房運転を行っている場合は、室内機３の吹出温度が極度に上下せずユーザの快適性を保つことが可能となる。
【実施例２】
【００３６】
図５は、本発明の実施例２である冷凍サイクル装置の系統図である。図５において、実施例１の場合と同一符号は実施例１と同様の部材等であり、詳細な説明は省略する。実施例２においても冷媒Ｒ３２を用いていることも同様である。
実施例１の冷凍サイクル装置１において、前記のような圧縮機１１の冷媒の吐出温度を目標値に収束させるようなフィードバック制御を行うことは、冷媒の吐出温度の変化に対して追従性が遅いということが想定される。
このため、本実施例では圧縮機１１の吸入乾き度を目標値に収束させるように室外膨張弁１３の開度制御を実施することにより、更に冷媒の吐出温度の変化を小さくすることができるようにする。
【００３７】
すなわち、図５の冷凍サイクル装置１００が実施例１の冷凍サイクル装置１と相違するのは、圧縮機１１の吸入側の冷媒温度を検出する温度センサ５１、圧縮機１１の吸入側の冷媒圧力を検出する圧力センサ５２、及び圧縮機１１の吐出側の冷媒圧力を検出する圧力センサ５３を設けている点である。また、制御装置１９においては、これらのセンサの検出値に基づいて圧縮機１１に吸入される冷媒の吸入乾き度を算出する吸入乾き度算出部１９ａを備えている。
そして本実施例では、制御装置１９が、吸入乾き度算出部１９ａが算出する吸入乾き度が予め設定した目標値となるように室外膨張弁１３の開度をフィードバック制御する。
【００３８】
ここで、既存の冷媒Ｒ４１０Ａを使用した一般的な冷凍サイクル装置においては、圧縮機への冷媒の液戻りを回避するために目標吸入乾き度を１に近い値になるように制御している。しかしながら、冷媒Ｒ３２を使用した場合、圧縮機から吐出される冷媒Ｒ３２の吐出温度が上昇しやすいため、冷媒Ｒ４１０Ａを用いる場合と同じような吸入乾き度の目標値となるような制御を実行すると、圧縮機から吐出される冷媒温度の異常上昇による冷凍機油の劣化や、室外膨張弁の開度変化に基づく大きな温度変化によるユーザの快適性不良に至る恐れがある。この点を防止するため、吸入乾き度を１より十分小さな値にすると圧縮機への冷媒の液戻りが懸念される。
そこで、前記の吸入乾き度のフィードバック制御を、吸入乾き度が例えば０．７〜０．９程度になるように行うことが望ましい。これにより、圧縮機１１への冷媒の液戻り、及び圧縮機１１からの冷媒の吐出温度の上昇を抑制することができる。
【００３９】
そのため、本実施例では、使用する室外膨張弁は実施例１の場合と同様に冷媒Ｒ３２の特性に対応した前記の室外膨張弁１３（図３、図４）とし、室外膨張弁１３の流量特性は実施例１と同様に、低開度領域では開度変化に対する流量変化の傾きを小さくし、高開度領域では開度変化に対する流量変化の傾きを大きくしたものを使用する。
そして、吸入乾き度が比較的小さい場合は室外膨張弁１３の開度を閉じ側に制御し、吸入乾き度が１に近くなった場合は室外膨張弁１３の開度を開き側に制御することにより、目標吸入乾き度に収束するようにフィードバック制御することができる。
また、実施例１と同様に予め室外膨張弁１３の下限開度、及び上限開度を設けておき、吸入乾き度により上限開度を前記ＥＶＯｍａｘ１及びＥＶＯｍａｘ２（図３）から選択して、室外膨張弁１３の制御を実施することもできる。
【００４０】
例えば、実施例１と同様に下限開度ＥＶＯｍｉｎは、運転停止直後の冷媒Ｒ３２の移動による次回起動時の冷媒の液戻り防止のため、既存の冷媒Ｒ４１０Ａを使用している機種の膨張弁流量と同じ流量に設定にする。また、上限開度ＥＶＯｍａｘ１は、高開度領域においての圧縮機１１からの冷媒の吐出温度の異常上昇防止のために、既存の冷媒Ｒ４１０Ａを使用している機種と同じ膨張弁流量とする。
【００４１】
そして、通常の場合、吸入乾き度をフィードバック制御するときの上限開度はＥＶＯｍａｘ１とする。しかし、吸入乾き度算出部１９ａで算出した吸入乾き度が予め設定された値を下回った場合は、制御装置１９は、上限開度はＥＶＯｍａｘ１から上限開度ＥＶＯｍａｘ２に変更する制御を行う。上限開度をＥＶＯｍａｘ２に変更する制御は、実施例１と同じ手段で実現することができる。
【００４２】
以上説明した本実施例の冷凍サイクル装置１００によれば、暖房運転を行うような外気温度が低い状態においては、室外膨張弁１３は低開度領域で使用される。そして、室外膨張弁１３の弁部４２に形成した低開度領域部４２ｂでは、開度変化（弁部４２の移動量）に対する冷媒の流量変化の割合を小さく設定している。そのため、冷媒Ｒ３２を使用した場合においても、暖房運転時の冷媒Ｒ３２の温度変化を小さくすることができ、冷媒Ｒ３２の圧縮機１１からの冷媒の吐出温度の異常上昇による冷凍機油の劣化を抑制することができる。
なお、室外膨張弁１３の高開度領域においては、膨張弁流量が多い場合でも圧縮機１１からの冷媒の吐出温度が上昇する場合があるため、膨張弁流量を小さくすることは得策でないので、室外膨張弁１３の開度変化に対する冷媒の流量変化の傾きを大きくする形状としている。
【００４３】
また、室外膨張弁１３の開度は目標の吸入乾き度になるようにフィードバック制御されているが、前記したように室外膨張弁１３の開度変化に対して冷媒Ｒ３２の流量変化の割合が小さくできるため、これに伴う冷媒Ｒ３２の温度変動も小さくなる。したがって、目標となる値に収束するように吸入乾き度をフィードバック制御する場合も、追従性良く目標となる吸入乾き度に収束させることが容易となる。
さらに、算出した吸入乾き度が予め設定された値を下回った場合は、制御装置１９は、上限開度はＥＶＯｍａｘ１から上限開度ＥＶＯｍａｘ２に変更する制御を行う。これにより、吸入乾き度が過度に低下して圧縮機への冷媒の液戻りが発生するのを抑制することができる。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００４５】
１      冷凍サイクル装置
１１    圧縮機
１２    四方弁
１３    室外膨張弁（膨張弁）
１４    室外熱交換器
１７    温度センサ（吐出温度検出部）
１８    温度センサ（外気温度検出部）
１９    制御装置（制御部）
１９ａ  吸入乾き度算出部
２１    室内熱交換器
３１    冷媒配管
４２ａ  高開度領域部（高開度領域）
４２ｂ  低開度領域部（低開度領域）
１００  冷凍サイクル装置
【図１】
0006566693.tif 000002
【図２】
0006566693.tif 000003
【図３】
0006566693.tif 000004
【図４】
0006566693.tif 000005
【図５】
0006566693.tif 000006